(57)【要約】【課題】  効率的かつ安価に取り付けることができるアウトレット・ボックス用隔壁を提供することである。【解決手段】  電気設備用の汎用アウトレット・ボックスに取り付けられるアウトレット・ボックス用隔壁（１８）は、平板で形成される隔壁部（１８ａ）と、隔壁部の一方の縁部から隔壁部と直交方向に互いに遠去かる方向又は同一方向にそれぞれ延びた一対の取付片（１８ｂ）とを有しており、隔壁をボックス本体（１２）内の適所に配置し、ボックス本体の開口面に塗代カバー（１４）を配置し、塗代カバーの塗代カバー取付用穴、隔壁の取付片に設けられたビス貫通用切欠き、及びボックス本体のビス用穴に取付用ビスをねじ込むことにより、隔壁及び塗代カバーをボックス本体に固定し、これによりボックス本体内を２区画に分割するように構成されている。【選択図】  図１
2007143322.tif 000002
【特許請求の範囲】
【請求項１】
開口面を有するボックス本体と、貫通穴を中央に有する矩形の枠体によって形成された塗代カバーとを有する電気設備用の汎用アウトレット・ボックスに取り付けられるアウトレット・ボックス用隔壁であって、
前記隔壁が、平板で形成される隔壁部と、前記隔壁部の一方の縁部から前記隔壁部と直交方向に互いに遠去かる方向又は同一方向にそれぞれ延びた一対の取付片とを有しており、前記隔壁を前記ボックス本体内の適所に配置し、前記ボックス本体の開口面に前記塗代カバーを配置し、前記塗代カバーの塗代カバー取付用穴、前記隔壁の取付片に設けられたビス貫通用切欠き又は穴、及び前記ボックス本体のビス用穴に取付用ビスをねじ込むことにより、前記隔壁及び前記塗代カバーを前記ボックス本体に固定し、これにより前記ボックス本体内を２区画に分割するように構成されていることを特徴とするアウトレット・ボックス用隔壁。
【請求項２】
開口面を有するボックス本体と、貫通穴を中央に有する矩形の枠体によって形成された塗代カバーとを有する電気設備用の汎用アウトレット・ボックスに取り付けられるアウトレット・ボックス用隔壁であって、
前記隔壁が、所定間隔隔てて互いに平行に配置されたｎ枚（ｎ＝２，３，４，・・・）の平板で形成される隔壁部と、前記平板のうち一方の最も外側に位置する第１最外平板の一方の縁部から前記第１最外平板と直交方向に他の平板から遠去かる方向に延びた取付片と、前記平板のうち他方の最も外側に位置する第２最外平板の一方の縁部から前記第２最外平板と直交方向に他の平板から遠去かる方向に延びた取付片とを有しており、前記隔壁を前記ボックス本体内の適所に配置し、前記ボックス本体の開口面に前記塗代カバーを配置し、前記塗代カバーの塗代カバー取付用穴、前記隔壁の取付片に設けられたビス貫通用切欠き又は穴、及び前記ボックス本体のビス用穴に取付用ビスをねじ込むことにより、前記隔壁及び前記塗代カバーを前記ボックス本体に固定し、これにより前記ボックス本体内を（ｎ＋１）区画に分割するように構成されていることを特徴とするアウトレット・ボックス用隔壁。
【請求項３】
開口面を有するボックス本体と、貫通穴を中央に有する矩形の枠体によって形成された塗代カバーとを有する電気設備用の汎用アウトレット・ボックスに取り付けられるアウトレット・ボックス用隔壁であって、
前記隔壁が、十字形を形成するように互いに直角に組み立てられた第１及び第２平板で形成される隔壁部と、前記第１平板の一方の縁部から前記第１平板と直交方向に互いに遠去かる方向それぞれ延びた一対の取付片とを有しており、前記隔壁を前記ボックス本体内の適所に配置し、前記ボックス本体の開口面に前記塗代カバーを配置し、前記塗代カバーの塗代カバー取付用穴、前記隔壁の取付片に設けられたビス貫通用切欠き又は穴、及び前記ボックス本体のビス用穴に取付用ビスをねじ込むことにより、前記隔壁及び塗代カバーを前記ボックス本体に固定し、これにより前記ボックス本体内を４区画に分割するように構成されていることを特徴とするアウトレット・ボックス用隔壁。
【発明の詳細な説明】
【技術分野】
【０００１】
本発明は、電気設備用の汎用アウトレット・ボックスに取り付けられる隔壁に関する。本発明におけるアウトレット・ボックスには、アウトレット・ボックスの他、配線ボックス、スイッチボックスなどが含まれる。
【背景技術】
【０００２】
建築物の壁の内部には、電気、ガス、電話、ＴＶ、ＬＡＮ（ローカルエリアネットワーク）などの種々の配線が張り巡らされている。これらの各配線の端末箇所には、電気コンセントなどのアウトレットが配置されており、アウトレットは、壁の適所に置かれたボックス内に収納されている。一方、各種アウトレットを同一ボックス内に収納する場合には、電磁誘導によるノイズや混触による事故等の発生防止のため、ボックス内に隔壁を設けてアウトレットを互いに分離すべきことが、関係省令において定められている。
【０００３】
ボックス内に隔壁を設ける方法としては、専用ビスを用いて隔壁をボックスに取り付ける方法（図５参照）の他、隔壁固定用の専用金具をボックスにビス止めする方法（特許文献１参照）、専用の塗代カバーを用いて隔壁をボックスに取り付ける方法（特許文献２参照）、ボックスに設けた隔壁固定用の凸部と溝を利用して隔壁をボックスに取り付ける方法（特許文献３参照）などが知られている。
【０００４】
【特許文献１】特開２００１−４５６２７号公報
【特許文献２】実公平４−４１７０９号公報
【特許文献３】実開昭６１−１４１９２２号公報
【発明の開示】
【発明が解決しようとする課題】
【０００５】
しかしながら、専用ビスを用いて隔壁を取り付ける方法では、隔壁取り付け用としてボックスのビス穴を使用するので、ボックスを建材に固定する際にビス穴を使用することができなくなるという不都合がある。また、特許文献１に記載の方法では、上述の方法と同様にボックス固定時にビス穴を使用することができなくなることの他、金具とビスの取付部材が必要となるので、取付け及び部材管理の手間が増えるという不都合がある。また、特許文献２に記載の方法では、専用の塗代カバーを使用するため、一般の塗代カバーを取り付けるボックスと専用の塗代カバーを取り付けるボックスの区分けをしなければならず、管理の手間が増えるという不都合がある。さらに、特許文献３に記載の方法では、専用のボックスを使用するため、専用のボックスと一般のボックスとの区分けが必要になるうえ、専用のボックスが高価であるという不都合がある。このように従来の方法には、それぞれ課題があり、満足すべきものが見当たらないのが現状である。
【０００６】
本発明は、このような状況に鑑みて案出されたものであって、効率的かつ安価に取り付けることができるアウトレット・ボックス用隔壁を提供することを目的とする。
【課題を解決するための手段】
【０００７】
本願請求項１に記載のアウトレット・ボックス用隔壁は、平板で形成される隔壁部と、前記隔壁部の一方の縁部から前記隔壁部と直交方向に互いに遠去かる方向又は同一方向にそれぞれ延びた一対の取付片とを有しており、前記隔壁を前記ボックス本体内の適所に配置し、前記ボックス本体の開口面に前記塗代カバーを配置し、前記塗代カバーの塗代カバー取付用穴、前記隔壁の取付片に設けられたビス貫通用切欠き又は穴、及び前記ボックス本体のビス用穴に取付用ビスをねじ込むことにより、前記隔壁及び塗代カバーを前記ボックス本体に固定し、これにより前記ボックス本体内を２区画に分割するように構成されていることを特徴とするものである。
【０００８】
本願請求項２に記載のアウトレット・ボックス用隔壁は、所定間隔隔てて互いに平行に配置されたｎ枚（ｎ＝２，３，４，・・・）の平板で形成される隔壁部と、前記平板のうち一方の最も外側に位置する第１最外平板の一方の縁部から前記第１最外平板と直交方向に他の平板から遠去かる方向に延びた取付片と、前記平板のうち他方の最も外側に位置する第２最外平板の一方の縁部から前記第２最外平板と直交方向に他の平板から遠去かる方向に延びた取付片とを有しており、前記隔壁を前記ボックス本体内の適所に配置し、前記ボックス本体の開口面に前記塗代カバーを配置し、前記塗代カバーの塗代カバー取付用穴、前記隔壁の取付片に設けられたビス貫通用切欠き又は穴、及び前記ボックス本体のビス用穴に取付用ビスをねじ込むことにより、前記隔壁及び前記塗代カバーを前記ボックス本体に固定し、これにより前記ボックス本体内を（ｎ＋１）区画に分割するように構成されていることを特徴とするものである。
【０００９】
本願請求項３に記載のアウトレット・ボックス用隔壁は、十字形を形成するように互いに直角に組み立てられた第１及び第２平板で形成される隔壁部と、前記第１平板の一方の縁部から前記第１平板と直交方向に互いに遠去かる方向にそれぞれ延びた一対の取付片とを有しており、前記隔壁を前記ボックス本体内の適所に配置し、前記ボックス本体の開口面に前記塗代カバーを配置し、前記塗代カバーの塗代カバー取付用穴、前記隔壁の取付片に設けられたビス貫通用切欠き又は穴、及び前記ボックス本体のビス用穴に取付用ビスをねじ込むことにより、前記隔壁及び塗代カバーを前記ボックス本体に固定し、これにより前記ボックス本体内を４区画に分割するように構成されていることを特徴とするものである。
【発明の効果】
【００１０】
本発明のアウトレット・ボックス用隔壁によれば、塗代カバーと隔壁がボックス本体に同時に取り付けられるので、隔壁の取付け工程が不要となり、作業工程を簡素化することができる。また、既存の塗代カバーを使用する場合には、本発明の隔壁のみを準備すればよいので、部品の管理が容易になり、コスト削減にも寄与する。さらに、専用のボックスが不要であるので、ボックスの取付け後であっても隔壁の自由な取り付けが可能であり、作業の柔軟性が増大する。
【発明を実施するための最良の形態】
【００１１】
次に、図面を参照して、本発明の好ましい実施の形態に係るアウトレット・ボックス用隔壁について詳細に説明する。図１は、本発明の好ましい実施の形態に係るアウトレット・ボックス用隔壁が取り付けられたアウトレット・ボックスを示した分解斜視図である。図１において全体として参照符号１０で示される本発明の好ましい実施の形態に係るアウトレット・ボックス用隔壁が取り付けられるアウトレット・ボックスは、ボックス本体１２を備えている。ボックス本体１２には、ビス用穴１２ａ１がそれぞれ設けられた複数（図１に示される例では４個）のラグ１２ａが取り付けられている。ボックス本体１２自体は、従来用いられているものを利用してもよい。
【００１２】
アウトレット・ボックス１０は又、塗代カバー１４を備えている。塗代カバー１４は、配線器具Ａ、Ｂが挿入される貫通穴１６を中央に有する矩形の枠体によって形成されている。この塗代カバー１４をボックス本体１２の開口面に取り付けることにより、ボックス本体１２を塗代カバー１４の貫通穴１６の形状に開口させることができる。
【００１３】
塗代カバー１４には、枠体の内縁から枠体面内において貫通穴１６の方へ突出した第１ラグ１４ａ、第２ラグ１４ｂが取り付けられている。第１ラグ１４ａには、塗代カバー取付用穴１４ａ１および配線器具取付用ネジ穴１４ａ２が設けられている。塗代カバー取付用穴１４ａ１は、後述するように、本発明のアウトレット・ボックス用隔壁を取り付ける際にも使用するため、調整可能となるように、大き目に形成するのがよい。第２ラグ１４ｂには、配線器具取付用ネジ穴１４ｂ１が設けられている。なお、塗代カバー１４は、従来使用されているものを用いてもよい。
【００１４】
本発明のアウトレット・ボックス用隔壁１８は、平板で形成される隔壁部１８ａと、隔壁部１８ａの一方の縁部から隔壁部１８ａと直交方向に互いに遠去かる方へそれぞれ延びた一対の取付片１８ｂとを有している。各取付片１８ｂには、ビス貫通用の切欠き１８ｂ１がそれぞれ設けられている。取付片１８ｂは、後述するように、ボックス本体１２内に隔壁１８を配置し、ボックス本体１２の開口面に塗代カバー１４を取り付けると、塗代カバー１４の枠体によって切欠き１８ｂ１の部分が被覆されるような位置に設けられている。また、取付片１８ｂの切欠き１８ｂ１は、ボックス本体１２の開口面に塗代カバー１４を取り付けると、塗代カバー１４の塗代カバー取付用穴１４ａ１が位置する箇所に設けられている。なお、切欠き１８ｂ１の代わりに、ビス貫通穴を設けてもよい。
【００１５】
図１に示される例では、隔壁１８の一対の取付片１８ｂが互いに遠去かる方へそれぞれ延びているが、図３に示されるように、隔壁１８′の一対の取付片１８′ｂが同一方向に延びるように形成してもよい。
【００１６】
以上のように構成されたアウトレット・ボックス用隔壁１８をアウトレット・ボックス１０に組み込む方法について説明する。まず、ボックス本体１２内に隔壁１８を配置し、ボックス本体１２の開口面に塗代カバー１４を配置する。そして、塗代カバー１４の塗代カバー取付用穴１４ａ１、隔壁１８の切欠き１８ｂ１、及びボックス本体１２のビス用穴１２ａ１に取付用ビスをねじ込むことにより、塗代カバー１４及び隔壁１８がボックス本体１２に固定される（図２参照）。しかる後、配線器具Ａ、Ｂを塗代カバー１４の貫通穴１６の適所にそれぞれ配置してビスでそれぞれ固定する。
【００１７】
本発明は、以上の発明の実施の形態に限定されることなく、特許請求の範囲に記載された発明の範囲内で、種々の変更が可能であり、それらも本発明の範囲内に包含されるものであることはいうまでもない。
【００１８】
例えば、前記実施の形態においては、隔壁１８によってボックス本体１２の内部が２区画に分割されているが、必要に応じて、図４（ａ）に示されるような隔壁２０を用いてボックス本体の内部を３区画に分割してもよい。アウトレット・ボックス用隔壁２０は、所定間隔隔てて互いに平行に配置された第１及び第２平板２０ａ１、２０ａ２で形成される隔壁部と、第１平板２０ａ１の一方の縁部から第１平板２０ａ１と直交方向に第２平板２０ａ２から遠去かる方向に延びた取付片２０ｂ１と、第２平板２０ａ２の一方の縁部から第２平板２０ａ２と直交方向に第１平板２０ａ１から遠去かる方向に延びた取付片２０ｂ２とを有している。隔壁２０をアウトレット・ボックスに組み込むに際しては、隔壁２０をボックス本体内の適所に配置し、ボックス本体の開口面に塗代カバーを配置し、塗代カバーの塗代カバー取付用穴、隔壁２０の取付片２０ｂ１、２０ｂ２に設けられたビス貫通用切欠き又は穴、及びボックス本体のビス用穴に取付用ビスをねじ込むことにより、隔壁２０及び塗代カバーをボックス本体に固定し、これによりボックス本体内が３区画に分割される。なお、図４（ａ）に示される例では、所定間隔隔てて互いに平行に配置された２枚の平板２０ａ１、２０ａ２を用いてボックス本体内を３区画に分割することができるが、所定間隔隔てて互いに平行に配置された３枚以上の平板を用いてボックス本体内を「平板数＋１」区画に分割するように構成してもよい。
【００１９】
或いは、図４（ｂ）に示されるような隔壁２２を用いてボックス本体の内部を４区画に分割してもよい。アウトレット・ボックス用隔壁２２は、十字形を形成するように互いに直角に組み立てられた第１及び第２平板２２ａ１、２２ａ２で形成される隔壁部と、第１平板２２ａ１の一方の縁部から第１平板２２ａ１と直交方向に互いに遠去かる方向にそれぞれ延びた一対の取付片２２ｂ１、２２ｂ２とを有している。隔壁２２をアウトレット・ボックスに組み込むに際しては、隔壁２２をボックス本体内の適所に配置し、ボックス本体の開口面に塗代カバーを配置し、塗代カバーの塗代カバー取付用穴、隔壁２２の取付片２２ｂ１、２２ｂ２に設けられたビス貫通用切欠き又は穴、及びボックス本体のビス用穴に取付用ビスをねじ込むことにより、隔壁２２及び塗代カバーをボックス本体に固定し、これによりボックス本体内が４区画に分割される。
【図面の簡単な説明】
【００２０】
【図１】本発明の好ましい実施の形態に係るアウトレット・ボックス用隔壁が取り付けられたアウトレット・ボックスを示した分解斜視図である。
【図２】図１のアウトレット・ボックスにおいて、ボックス本体に隔壁と塗代カバーを取り付けた状態を示した斜視図である。
【図３】隔壁の変形形態を示した斜視図である。
【図４】隔壁の別の変形形態を示した斜視図である。
【図５】従来の隔壁取付け方法の一例を示した斜視図である。
【符号の説明】
【００２１】
１０  アウトレット・ボックス
１２  ボックス本体
１２ａ  ラグ
１４  塗代カバー
１４ａ  第１ラグ
１４ｂ  第２ラグ
１６  貫通穴
１８、１８′、２０、２２  隔壁
１８ａ、２０ａ１、２０ａ２、２２ａ１、２２ａ２  隔壁部（平板）
１８ｂ、２０ｂ１、２０ｂ２、２２ｂ１、２２ｂ２  取付片
【図１】
2007143322.tif 000003
【図２】
2007143322.tif 000004
【図３】
2007143322.tif 000005
【図４】
2007143322.tif 000006
【図５】
2007143322.tif 000007